Podtech/llm-jp-corpus-v4-ja_patent huggingface dataset:
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
遊技を行う遊技機であって、
複数の配線と、
前記複数の配線の一端である一端側コネクタが接続される一端側被接続部と、
前記複数の配線の前記一端側コネクタと前記一端側被接続部との接続を係止する係止手段と、
前記係止手段による係止を解除するために操作される解除操作部と、
前記複数の配線を前記解除操作部側へ案内する案内手段と、
を備え、
前記複数の配線の他端である他端側コネクタは、前記複数の配線の前記一端側コネクタと前記一端側被接続部との接続箇所に対し、前記案内手段が配置される方向と異なる方向である所定位置にある他端側被接続部に接続されており、
前記複数の配線は、前記接続箇所から前記解除操作部の操作を阻害する位置に前記案内手段により案内された後に、前記接続箇所から前記解除操作部の操作を阻害する方向とは異なる方向に延設され、前記他端側被接続部に接続されており、
前記複数の配線は、横方向に並べて所定幅を有するように設けられ、
前記解除操作部の幅は、前記所定幅よりも狭い、遊技機。
【手続補正２】
【補正対象書類名】明細書
【補正対象項目名】０００６
【補正方法】変更
【補正の内容】
【０００６】
（１）本発明の遊技機は、遊技を行う遊技機（例えば、スロットマシン１等）であって、
複数の配線（例えば、配線２４Ａ等）と、  
前記複数の配線の一端である一端側コネクタ（例えば、２４Ｃ等）が接続される一端側被接続部（例えば、演出制御基板１４の１４Ｂ等）と、
前記複数の配線の前記一端側コネクタと前記一端側被接続部の接続を係止する係止手段（例えば、他端側係止爪及び１４Ｂに設けられた突起等）と、
前記係止手段による係止を解除するために操作される解除操作部（例えば、２４Ｉ等）と、
前記複数の配線を前記解除操作部側へ案内する案内手段と、
を備え、
前記複数の配線の他端である他端側コネクタ（例えば、２４Ｂ等）は、前記複数の配線の前記一端側コネクタと前記一端側被接続部との接続箇所（例えば、２４Ｃと１４Ｂとの接続箇所等）に対し、前記案内手段が配置される方向と異なる方向である所定位置（例えば、演出制御基板１４の１４Ｂから見て、２４Ｉが配置された側と異なる方向に設けられた遊技制御基板１３の１３Ｃ等）にある他端側被接続部に接続されており、  
前記複数の配線は、前記接続箇所から前記解除操作部の操作を阻害する位置に前記案内手段により案内された後に、前記接続箇所から前記解除操作部の操作を阻害する方向とは異なる方向に延設され、前記他端側被接続部に接続されており（例えば、２４Ｃと１４Ｂとの接続箇所から２４Ｉ側に向けて延設されている等）、
前記複数の配線は、横方向に並べて所定幅を有するように設けられ、
前記解除操作部の幅は、前記所定幅よりも狭い（例えば、横方向に広げて全体的に平板状に並べられた複数の配線２１Ａの幅は、一端側押込部２１Ｆ及び他端側押込部２１Ｉの幅よりも広くされている等）。
【手続補正３】
【補正対象書類名】明細書
【補正対象項目名】００６０
【補正方法】変更
【補正の内容】
【００６０】
次に、第１ハーネス２１〜第７ハーネス２７の一部は、配線がコネクタの押込部の操作を阻害するように配置されている。以下、その例について説明する。図５（Ａ）に示すように、第４ハーネス２４の第４他端側コネクタ２４Ｃは、演出制御基板１４の第４他端側被接続部１４Ｂに接続されている。配線２４Ａは、第４ハーネス２４の一端における第４一端側コネクタ２４Ｂと遊技制御基板１３の第４一端側被接続部１３Ｃとの接続箇所から、上方を向いて設けられている。また、第４ハーネス２４の第４一端側コネクタ２４Ｂが接続される遊技制御基板１３の第４一端側被接続部１３Ｃ（図２参照）は、遊技制御基板１４の第４他端側被接続部１４Ｃよりも低い位置に配置されている。また、第４ハーネス２４の第４他端側コネクタ２４Ｃに設けられた他端側押込部２４Ｉは、第４他端側コネクタ２４Ｃの上方に配置されている。第４一端側コネクタ２４Ｂは、第４他端側コネクタ２４Ｃと遊技制御基板１４との第４他端側被接続部１４Ｃとの接続箇所に対し、他端側押込部２４Ｉが配置される方向と異なる方向に設けられる所定位置に接続されている。また、第４ハーネス２４の配線２４Ａは、第４他端側コネクタ２４Ｃの他端側押込部２４Ｉの操作を阻害する位置である他端側押込部２４Ｉを正面（奥側）から覆う位置に案内される。なお、ここでの「奥側」は、前面扉１ｂを閉じた状態での方向をいう。右第１案内部材５１Ｂは、第４ハーネス２４における配線２４Ａの第４他端側コネクタ２４Ｃ側を上方に案内し、その先（第４一端側コネクタ２４Ｂ側）を遊技制御基板１３の第４一端側被接続部１３Ｃがある下方に折り返して案内している。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンであって、
導出を許容する表示結果を決定する事前決定手段と、
遊技者が表示結果を導出させるために操作する導出操作手段と、
前記事前決定手段の決定結果および前記導出操作手段の操作に応じて表示結果を導出させる制御を行う導出制御手段と、
前記事前決定手段によって特別表示結果の導出を許容する決定がなされたときに、該特別表示結果が導出されれば特別状態に遊技状態を制御する一方、該特別表示結果が導出されなければ該決定を以降の遊技に持ち越した持越状態に遊技状態を制御する遊技状態制御手段と、
複数種類の演出のうちの何れかの演出を実行可能な演出実行手段とを備え、
前記演出実行手段は、
前記持越状態における遊技において前記事前決定手段によって前記特別表示結果とは異なる第１所定表示結果または第２所定表示結果の導出を許容する決定がなされていないときに特定演出を実行し、
前記持越状態における遊技において前記事前決定手段によって前記第１所定表示結果の導出を許容する決定がなされたときに第１所定演出を実行し、
前記持越状態における遊技において前記事前決定手段によって前記第２所定表示結果の導出を許容する決定がなされたときに第２所定演出を実行し、
前記特定演出の実行中に前記スロットマシンに対する電力供給が停止した後に電力供給が再開したときと、前記第１所定演出の実行中に前記スロットマシンに対する電力供給が停止した後に電力供給が再開したときと、前記第２所定演出の実行中に前記スロットマシンに対する電力供給が停止した後に電力供給が再開したときと、で共通する共通演出を実行し、
前記共通演出は、少なくとも前記持越状態における遊技中であることを特定可能な演出である、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンであって、
導出を許容する表示結果を決定する事前決定手段と、
遊技者が表示結果を導出させるために操作する導出操作手段と、
前記事前決定手段の決定結果および前記導出操作手段の操作に応じて表示結果を導出させる制御を行う導出制御手段と、
前記事前決定手段によって特別表示結果の導出を許容する決定がなされたときに、該特別表示結果が導出されれば特別状態に遊技状態を制御する一方、該特別表示結果が導出されなければ該決定を以降の遊技に持ち越した持越状態に遊技状態を制御する遊技状態制御手段と、
複数種類の演出のうちの何れかの演出を実行可能な演出実行手段とを備え、
前記演出実行手段は、
前記持越状態における遊技において前記事前決定手段によって前記特別表示結果とは異なる第１所定表示結果または第２所定表示結果の導出を許容する決定がなされていないときに特定演出を実行し、
前記持越状態における遊技において前記事前決定手段によって前記第１所定表示結果の導出を許容する決定がなされたときに第１所定演出を実行し、
前記持越状態における遊技において前記事前決定手段によって前記第２所定表示結果の導出を許容する決定がなされたときに第２所定演出を実行し、
前記特定演出の実行中に前記スロットマシンに対する電力供給が停止した後に電力供給が再開したときと、前記第１所定演出の実行中に前記スロットマシンに対する電力供給が停止した後に電力供給が再開したときと、前記第２所定演出の実行中に前記スロットマシンに対する電力供給が停止した後に電力供給が再開したときと、で共通する共通演出を実行し、
前記共通演出は、少なくとも前記持越状態における遊技中であることを特定可能な演出である。
（１）  各々が識別可能な複数種類の識別情報を変動表示可能な可変表示部（例えば、リール２Ｌ、２Ｃ、２Ｒ）を備え、
前記可変表示部を変動表示した後、前記可変表示部の変動表示を停止することで表示結果を導出し、該表示結果に応じて入賞が発生可能なスロットマシン（例えば、スロットマシン１）であって、
導出を許容する表示結果を決定する事前決定手段（例えば、メイン制御部４１が実行する内部抽選処理）と、
遊技者が表示結果を導出させるために操作する導出操作手段（例えば、ストップスイッチ８Ｌ、８Ｃ、８Ｒ）と、
前記事前決定手段の決定結果および前記導出操作手段の操作に応じて表示結果を導出させる制御を行う導出制御手段（例えば、メイン制御部４１が実行するリール回転処理）と、
前記事前決定手段によって特別表示結果（例えば、特別役）の導出を許容する決定がなされたときに、該特別表示結果が導出されれば特別状態（例えば、ボーナス状態）に遊技状態を制御する一方、該特別表示結果が導出されなければ該決定を以降の遊技に持ち越した持越状態（例えば、内部中状態）に遊技状態を制御する遊技状態制御手段（例えば、メイン制御部４１が実行する遊技状態を制御する処理）と、
複数種類の演出のうちの何れかの演出（例えば、内部中演出）を実行可能な演出実行手段（例えば、サブ制御部４１が実行するステップＳａ１〜Ｓａ１９の処理）とを備え、
前記演出実行手段は、
前記持越状態における遊技において前記事前決定手段によって前記特別表示結果とは異なる所定表示結果（例えば、一般役、ベル、リプレイ）の導出を許容する決定がなされていないときに特定演出（例えば、ボーナス確定演出５１４）を実行し（例えば、サブ制御部９１がステップＳａ１、Ｓａ４の処理を実行し）、
前記持越状態における遊技において前記事前決定手段によって前記所定表示結果の導出を許容する決定がなされたときに所定演出（例えば、ベル当選演出５１６、リプレイ当選演出５１８）を実行し（例えば、サブ制御部９１がステップＳａ１、Ｓａ１０、Ｓａ１１、Ｓａ１４、Ｓａ１５の処理を実行し）、
前記特定演出の実行中に前記スロットマシンに対する電力供給が停止した後に電力供給が再開したときと、前記所定演出の実行中に前記スロットマシンに対する電力供給が停止した後に電力供給が再開したときとで共通する共通演出（例えば、電断復帰用ボーナス確定演出５２０）を実行し（例えば、サブ制御部９１がステップＳｂ１〜Ｓｂ３、Ｓｂ５、Ｓｂ７の処理を実行し）、
前記共通演出は、少なくとも前記持越状態における遊技中であることを特定可能な演出である（例えば、ボーナス確定演出５１４は、内部中状態における遊技中において特別役に内部当選している旨を報知するとともに内部当選した特別役の種類も報知する演出である）。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
遊技を行う遊技機において、
遊技者にとって有利な所定状態に制御可能な所定状態制御手段と、
所定状態の終了後に特定状態に制御可能な特定状態制御手段と、
特定状態に制御されている旨を示唆する示唆手段と、
を備え、
所定状態の終了後、特定状態に制御され、当該特定状態が終了するまでに再度所定状態に制御された場合には、当該特定状態の前に制御されていた所定状態に関連する要素を引き継ぐことが可能であり、
特定状態の開始後、再度所定状態に制御されずに当該特定状態が終了するまでの期間が変動し、
エラーが発生したときにエラー状態に制御するエラー状態制御手段をさらに備え、
前記示唆手段は、前記特定状態に制御されている旨を示唆しているときに前記エラー状態に制御された場合、該エラー状態においても前記特定状態に制御されている旨の示唆を継続する、遊技機。
【手続補正２】
【補正対象書類名】明細書
【補正対象項目名】０００６
【補正方法】変更
【補正の内容】
【０００６】
上記課題を解決するために、本発明の手段１の遊技機は、
遊技を行う遊技機（スロットマシン１）において、
遊技者にとって有利な所定状態（ＣＺ状態）に制御可能な所定状態制御手段と、
所定状態の終了後に特定状態（引戻状態）に制御可能な特定状態制御手段と、
特定状態に制御されている旨を示唆する示唆手段（有利区間報知ＬＥＤ１２ａ）と、
を備え、
所定状態（ＣＺ状態）の終了後、特定状態（引戻状態）に制御され、当該特定状態が終了するまでに再度所定状態に制御された場合には、当該特定状態の前に制御されていた所定状態に関連する要素を引き継ぐことが可能であり、
特定状態（引戻状態）の開始後、再度所定状態に制御されずに当該特定状態が終了するまでの期間が変動し、
エラーが発生したときにエラー状態に制御するエラー状態制御手段をさらに備え、
前記示唆手段は、前記特定状態に制御されている旨を示唆しているときに前記エラー状態に制御された場合、該エラー状態においても前記特定状態に制御されている旨の示唆を継続する(図７)。
ことを特徴としている。
この特徴によれば、所定状態の終了後、特定状態に制御され、当該特定状態が終了するまでに再度所定状態に制御された場合には、当該特定状態の前に制御されていた所定状態に関連する要素を引き継ぐことが可能となるため、所定状態の終了後の興趣を高めることができる。また、所定状態の終了に伴う特定状態の開始後、再度所定状態に制御されずに当該特定状態が終了するまでの期間が変動し、所定状態毎に、その後、再度所定状態に制御された場合にそれよりも前の所定状態の要素を引き継ぐことが可能となる期間が変動するので、所定状態の終了後の興趣をさらに高めることができる。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
複数の電子部品が実装される制御基板を備える遊技機であって、
前記制御基板は、
前記複数の電子部品を接続する配線部が形成され、
前記配線部を有する第１層及び第２層を備え、
電子部品間を接続する配線の引き回しに障害物を回避して層間接続する第１層間接続部と、
電子部品間を接続する配線の引き回しに障害物の存在にかかわりなく層間接続する第２層間接続部と、を有する、
ことを特徴とする遊技機。
【手続補正２】
【補正対象書類名】明細書
【補正対象項目名】０００７
【補正方法】変更
【補正の内容】
【０００７】
（解決手段１）
複数の電子部品が実装される制御基板を備える遊技機であって、
前記制御基板は、
前記複数の電子部品を接続する配線部が形成され、
前記配線部を有する第１層及び第２層を備え、
電子部品間を接続する配線の引き回しに障害物を回避して層間接続する第１層間接続部と、
電子部品間を接続する配線の引き回しに障害物の存在にかかわりなく層間接続する第２層間接続部と、を有する、
ことを特徴とする。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
複数の電子部品が実装される制御基板を備える遊技機であって、
前記制御基板は、
前記複数の電子部品を接続する配線部が形成され、
前記配線部を有する第１層及び第２層を備え、
電子部品間を接続する配線の引き回しに障害物を回避して層間接続する第１層間接続部と、
電子部品間を接続する配線の引き回しに障害物の存在にかかわりなく層間接続する第２層間接続部と、を有し、
前記第２層間接続部は、表面実装される電子部品間の配線に備えられる、
ことを特徴とする遊技機。
【手続補正２】
【補正対象書類名】明細書
【補正対象項目名】０００２
【補正方法】変更
【補正の内容】
【０００２】
従来より、電子部品を基板に実装する遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１４−１４４２１８号公報（段落［００４２］、及び図４）
【手続補正４】
【補正対象書類名】明細書
【補正対象項目名】０００４
【補正方法】変更
【補正の内容】
【０００４】
ところで、遊技の進行を制御する基板には、電気検査する場合に利用するテストパッドを設けることが規則上できない。このため、遊技の進行を制御する遊技制御基板にリードピッチが狭い電子部品が実装される場合には、電気検査を行うことが難しいという問題があった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、電子部品が実装される基板の電気検査を行うことができる遊技機を提供することにある。
【手続補正６】
【補正対象書類名】明細書
【補正対象項目名】０００７
【補正方法】変更
【補正の内容】
【０００７】
上記した目的を達成するために、本発明においては、
複数の電子部品が実装される制御基板を備える遊技機であって、
前記制御基板は、
前記複数の電子部品を接続する配線部が形成され、
前記配線部を有する第１層及び第２層を備え、
電子部品間を接続する配線の引き回しに障害物を回避して層間接続する第１層間接続部と、
電子部品間を接続する配線の引き回しに障害物の存在にかかわりなく層間接続する第２層間接続部と、を有し、
前記第２層間接続部は、表面実装される電子部品間の配線に備えられる、
ことを特徴とする。
また、本発明とは別の発明として、以下の手段を参考的に開示する。
（解決手段１）
電子部品が実装される基板を備える遊技機であって、筐体が導電性部材により形成されると共に該筐体に前記基板が取り付けられる制御装置を備え、前記制御装置は、当該制御装置の筐体が前記基板のグランドへ接続されるグランド経路部と、当該制御装置の筐体が前記基板のグランドへ接続されない非グランド経路部と、を有することを特徴とする遊技機。
【手続補正７】
【補正対象書類名】明細書
【補正対象項目名】００１７
【補正方法】変更
【補正の内容】
【００１７】
本発明の遊技機においては、電子部品が実装される遊技制御基板の電気検査を行うことができる。
【誤訳訂正書】
【提出日】令和3年5月7日(2021.5.7)
【誤訳訂正１】
【訂正対象書類名】明細書
【訂正対象項目名】０３１７
【訂正方法】変更
【訂正の内容】
【０３１７】
【表３】
2019141101.tif 000001
2019141101.tif 000002
2019141101.tif 000003
2019141101.tif 000004
2019141101.tif 000005
2019141101.tif 000006
2019141101.tif 000007
2019141101.tif 000008
2019141101.tif 000009
2019141101.tif 000010
2019141101.tif 000011
2019141101.tif 000012
2019141101.tif 000013
2019141101.tif 000014
2019141101.tif 000015
2019141101.tif 000016
2019141101.tif 000017
市販の調製物のさらなる合成工程
アニーリング工程後に解析によって標的生成物の純度が得られたことが示されたら、該物質を、濃縮および脱塩のためにタンジェンシャルフロー濾過（ＴＦＦ）システムに移す（これをアニーリング工程の前に行なうのとは反対）。
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
照射された放射線を検出し、放射線画像データを出力する検出手段と、
内部時計を有し、前記内部時計の時刻情報に基づいて前記検出手段の駆動タイミングを制御する計時制御手段と、
ネットワークを介して、前記放射線画像データに係るデータと前記時刻情報に係るデータとを、制御装置に送信する通信手段と、を備え、
前記通信手段は、前記放射線画像データに係るデータの通信量が閾値以下である場合に前記時刻情報に係るデータを送信し、
前記計時制御手段は、前記時刻情報に対して前記制御装置から返信された時刻情報を用いて、前記内部時計の時刻情報を補正することを特徴とする放射線撮影装置。
【請求項２】
前記放射線画像データから、前記放射線画像データに係るデータとして画像データパケットを生成し、送信バッファへ送信する画像通信手段と、
前記計時制御手段から前記時刻情報を取得し、前記時刻情報に係るデータとして時刻同期パケットを生成し、前記送信バッファへ送信する時刻同期通信手段と、を更に備えることを特徴とする請求項１に記載の放射線撮影装置。
【請求項３】
前記送信バッファに前記画像データパケットが格納されている場合、前記通信手段における通信量が閾値を超えると判定し、前記時刻同期通信手段は前記時刻同期パケットの生成を行わないことを特徴とする請求項２に記載の放射線撮影装置。
【請求項４】
前記送信バッファに前記画像データパケットが格納されていない場合、前記通信手段における通信量が閾値以下と判定し、前記時刻同期通信手段は前記時刻同期パケットの生成を行うことを特徴とする請求項２に記載の放射線撮影装置。
【請求項５】
前記時刻同期通信手段は、前記画像通信手段に画像通信スケジュールの問い合わせを行い、
前記画像通信スケジュールに基づいて、前記時刻同期通信手段は、前記時刻同期パケットの生成を制御することを特徴とすることを特徴とする請求項２に記載の放射線撮影装置。
【請求項６】
前記時刻同期通信手段は、前記画像通信スケジュールに基づいて、前記画像データパケットの通信終了から、次の前記画像データパケットの通信開始までの時間において、前記時刻同期パケットを前記送信バッファに送信することが可能な隙間時間の有無を判定し、
前記判定の結果に基づいて、前記時刻同期パケットの生成を制御することを特徴とすることを特徴とする請求項５に記載の放射線撮影装置。
【請求項７】
前記判定の結果に基づいて、前記隙間時間がある場合に、前記時刻同期通信手段は、前記時刻同期パケットの生成を行うことを特徴とする請求項６に記載の放射線撮影装置。
【請求項８】
前記計時制御手段は、
前記時刻同期パケットの送信時刻と、前記時刻同期パケットに対する時刻同期返信情報を前記制御装置から受信した返信受信時刻とに基づいて、
前記制御装置が前記時刻同期返信情報を返信した推定返信時刻を推定することを特徴とする請求項７に記載の放射線撮影装置。
【請求項９】
前記時刻同期返信情報には、前記制御装置が当該時刻同期返信情報の送信を行った返信発信時刻が記憶されていることを特徴とする請求項８に記載の放射線撮影装置。
【請求項１０】
前記計時制御手段は、前記推定返信時刻と、前記返信発信時刻との差分時刻から時刻の補正値を求め、
前記補正値により前記内部時計の時刻情報を補正することを特徴とする請求項９に記載の放射線撮影装置。
【請求項１１】
請求項１に記載の放射線撮影装置と、
前記放射線撮影装置を制御する制御装置と、を有する放射線撮影システム。
【請求項１２】
放射線撮影装置と、ネットワークを介して前記放射線撮影装置を制御する制御装置とを有する放射線撮影システムの制御方法であって、
前記放射線撮影装置が、照射された放射線を検出手段により検出し、放射線画像データを出力する検出工程と、
内部時計を有する計時制御手段において、前記内部時計の時刻情報に基づいて前記検出手段の駆動タイミングを制御する計時制御工程と、
前記放射線撮影装置から前記制御装置に、前記放射線画像データの通信量が閾値以下である場合に、前記内部時計の時刻情報を送信する通信工程と、
前記内部時計の時刻情報に対して、前記制御装置から前記放射線撮影装置に返信された時刻情報を用いて、前記内部時計の時刻情報を補正する補正工程と、を有することを特徴とする放射線撮影システムの制御方法。
【手続補正２】
【補正対象書類名】明細書
【補正対象項目名】０００９
【補正方法】変更
【補正の内容】
【０００９】
本発明の目的を達成するために、本発明の一態様による放射線撮影装置は、
照射された放射線を検出し、放射線画像データを出力する検出手段と、
内部時計を有し、前記内部時計の時刻情報に基づいて前記検出手段の駆動タイミングを制御する計時制御手段と、
ネットワークを介して、前記放射線画像データに係るデータと前記時刻情報に係るデータとを、制御装置に送信する通信手段と、を備え、
前記通信手段は、前記放射線画像データに係るデータの通信量が閾値以下である場合に前記時刻情報に係るデータを送信し、
前記計時制御手段は、前記時刻情報に対して前記制御装置から返信された時刻情報を用いて、前記内部時計の時刻情報を補正することを特徴とする。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
ヘア・スムージングツールであって、
使用者が毛髪の上を移動するために保持する支持基部と、複数の毛材と、カーペット構造と、クッション部材と、を備え、
前記複数の毛材は、前記支持基部から突出しており、
前記カーペット構造は、前記支持基部に少なくとも部分的に重なり、前記支持基部が毛髪の上を移動するときに、毛髪に入り込む複数のミニポストを含み、
前記ミニポストは、毛髪と相互作用する湾曲部分を含み、それにより毛髪を滑らかにし、
前記カーペット構造は、前記毛材の少なくとも一部が突出する複数のループポスト及び／又はフックポストを含み、
前記ループポスト及びフックポストは、毛髪に入り込んだときに、毛髪のキューティクルを滑らかにし、ちぢれを除去し、
前記クッション部材は、前記支持基部上に配置され、前記カーペット構造上に固定され、
より触感を良くし、毛髪により密着するための緩衝手段が前記クッション部材と前記支持基部との間に存在する、
ことを特徴とするヘア・スムージングツール。
【請求項２】
前記支持基部は、硬質材料で作られている、
ことを特徴とする請求項１に記載のヘア・スムージングツール。
【請求項３】
前記支持基部は、軟質材料で作られており、硬質物体に取付け可能及び取外し可能である、
ことを特徴とする請求項１に記載のヘア・スムージングツール。
【請求項４】
前記カーペット構造は、フックアンドループファスナのフック構造又はループ構造層により実現される、又は前記フック構造層の一部及び前記ループ構造層の一部でパッチされている、
ことを特徴とする請求項１乃至３のうちいずれか１項に記載のヘア・スムージングツール。
【請求項５】
前記カーペット構造（１５）は、可撓性基部の反対側のループポスト及びフックポストを夫々含み、
前記可撓性基部は、ループ状の前記可撓性基部の反対側の端部で、ループポストとフックポストとの係合により、前記支持基部上にループ状に巻かれて固定されている、
ことを特徴とする請求項１乃至３のうちいずれか１項に記載のヘア・スムージングツール。
【請求項６】
前記ミニポストは、特定のパターンに割り当てられた複数のループポスト及び／又はフックポストを含む、
ことを特徴とする請求項１乃至３のうちいずれか１項に記載のヘア・スムージングツール。
【請求項７】
前記支持基部（１１）から突出し、前記カーペット構造に入り込む複数の毛材（１２）を更に備える、
ことを特徴とする請求項１乃至６のうちいずれか１項に記載のヘア・スムージングツール。
【請求項８】
前記支持基部の第１の部分から突出する複数の毛材を更に備え、
前記カーペット構造は、前記支持基部の毛材が設けられていない第２の部分に設けられる、
ことを特徴とする請求項１乃至請求項６のいずれか１項に記載のヘア・スムージングツール。
【請求項９】
前記クッション部材自体が、緩衝作用を有している、
ことを特徴とする請求項１乃至請求項８のいずれか１項に記載のヘア・スムージングツール。
【請求項１０】
前記カーペット構造を介して毛髪に熱を散逸させるために、前記カーペット構造と前記支持基部との間に配置されたヒーター材料を更に含む、
ことを特徴とする請求項１乃至請求項９のいずれか１項に記載のヘア・スムージングツール。
【請求項１１】
前記カーペット構造を介して毛髪に熱を散逸させるために、前記カーペット構造と前記クッション部材との間に配置されたヒーター材料を更に含む、
ことを特徴とする請求項１乃至請求項９のいずれか１項に記載のヘア・スムージングツール。
【請求項１２】
前記カーペット構造を介して毛髪に熱を散逸させるために、前記クッション部材と前記支持基部との間に配置されたヒーター材料（２００）を更に含む、
ことを特徴とする請求項１乃至請求項９のいずれか１項に記載のヘア・スムージングツール。
【請求項１３】
前記緩衝手段は、エアギャップ、又は、ゴムを備える、
ことを特徴とする請求項１乃至請求項１２のいずれか１項に記載のヘア・スムージングツール。
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
抽選対象となる複数のゲームコンテンツによって構成されるデッキに関するデッキ情報に基づいて、母集団として前記デッキを用いて抽選ゲームを実行する情報処理装置であって、
プレイヤーが第１ゲーム価値を消費してゲームプレイする場合に、前記デッキのうち、特定のゲームコンテンツを含む母集団の中から抽選されたゲームコンテンツを前記プレイヤーに付与し、付与された当該ゲームコンテンツを前記デッキの中から削除し、
プレイヤーが第２ゲーム価値を消費してゲームプレイする場合には、前記デッキのうち、前記特定のゲームコンテンツを含まない母集団の中から抽選されたゲームコンテンツを前記プレイヤーに付与し、付与された当該ゲームコンテンツを前記デッキの中から削除するだけでなく、前記デッキのうち、前記特定のゲームコンテンツを除いた残りのゲームコンテンツの中から、前記プレイヤーに付与されなかった一部のゲームコンテンツを余分に削除するゲーム制御部、
を備えたことを特徴とする情報処理装置。
【請求項２】
請求項１に記載の情報処理装置であって、
前記ゲーム制御部は、
プレイヤーが第１ゲーム価値を消費してゲームプレイする場合には、前記デッキのうち、前記特定のゲームコンテンツを除いた残りのゲームコンテンツの中から、前記プレイヤーに付与されなかった一部のゲームコンテンツを余分に削除しない、
ことを特徴とする情報処理装置。
【請求項３】
請求項１又は２に記載の情報処理装置であって、
前記ゲーム制御部は、
プレイヤーが第２ゲーム価値を消費してゲームプレイする場合に、付与された当該ゲームコンテンツを前記デッキの中から削除するだけでなく、前記デッキからゲームコンテンツを余分に削除するか否かの抽選を行った結果、余分に削除することが決定された場合に限り、前記一部のゲームコンテンツを余分に削除する、
ことを特徴とする情報処理装置。
【請求項４】
請求項１又は２に記載の情報処理装置であって、
前記ゲーム制御部は、
プレイヤーが第２ゲーム価値を消費してゲームプレイする場合に、付与された当該ゲームコンテンツを前記デッキの中から削除するだけでなく、抽選結果に応じた数量分だけ、前記一部のゲームコンテンツを余分に削除する、
ことを特徴とする情報処理装置。
【請求項５】
請求項１乃至４のいずれかに記載の情報処理装置であって、
前記デッキを構成する各ゲームコンテンツには、希少価値に応じて分類されたレア度がそれぞれ設定されており、
前記特定のゲームコンテンツは、前記デッキの中で最も高いレア度が設定されたゲームコンテンツである、
ことを特徴とする情報処理装置。
【請求項６】
請求項１乃至５のいずれかに記載の情報処理装置であって、
前記デッキ情報には、複数種類のデッキが設定されており、
所定条件を満たしたプレイヤーに対してデッキの種類に応じた第２ゲーム価値を付与するゲーム価値付与部、
を備えたことを特徴とする情報処理装置。
【請求項７】
抽選対象となる複数のゲームコンテンツによって構成されるデッキに関するデッキ情報に基づいて、母集団として前記デッキを用いて抽選ゲームを実行するコンピューターを、
プレイヤーが第１ゲーム価値を消費してゲームプレイする場合に、前記デッキのうち、特定のゲームコンテンツを含む母集団の中から抽選されたゲームコンテンツを前記プレイヤーに付与し、付与された当該ゲームコンテンツを前記デッキの中から削除し、
プレイヤーが第２ゲーム価値を消費してゲームプレイする場合には、前記デッキのうち、前記特定のゲームコンテンツを含まない母集団の中から抽選されたゲームコンテンツを前記プレイヤーに付与し、付与された当該ゲームコンテンツを前記デッキの中から削除するだけでなく、前記デッキのうち、前記特定のゲームコンテンツを除いた残りのゲームコンテンツの中から、前記プレイヤーに付与されなかった一部のゲームコンテンツを余分に削除するゲーム制御部、
として機能させるためのゲームプログラム。
【請求項８】
抽選対象となる複数のゲームコンテンツによって構成されるデッキに関するデッキ情報に基づいて、母集団として前記デッキを用いて抽選ゲームを実行するコンピューターが、
プレイヤーが第１ゲーム価値を消費してゲームプレイする場合に、前記デッキのうち、特定のゲームコンテンツを含む母集団の中から抽選されたゲームコンテンツを前記プレイヤーに付与し、付与された当該ゲームコンテンツを前記デッキの中から削除し、
プレイヤーが第２ゲーム価値を消費してゲームプレイする場合には、前記デッキのうち、前記特定のゲームコンテンツを含まない母集団の中から抽選されたゲームコンテンツを前記プレイヤーに付与し、付与された当該ゲームコンテンツを前記デッキの中から削除するだけでなく、前記デッキのうち、前記特定のゲームコンテンツを除いた残りのゲームコンテンツの中から、前記プレイヤーに付与されなかった一部のゲームコンテンツを余分に削除する、
ことを特徴とする情報処理方法。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
遊技を行う遊技機であって、
基板に実装される第１コネクタと、
電気配線の一端と電気的に接続されると共に前記第１コネクタに挿抜される第２コネクタと、を有し、
基板間を電気的に接続するハーネスとして、少なくとも前記電気配線と前記第２コネクタとが構成され、
前記第２コネクタが前記第１コネクタに正常に挿入されたか否かを判別可能な嵌合基準部を有する、
ことを特徴とする遊技機。
【手続補正２】
【補正対象書類名】明細書
【補正対象項目名】０００７
【補正方法】変更
【補正の内容】
【０００７】
上記した目的を達成するために、本発明においては、
遊技を行う遊技機であって、
基板に実装される第１コネクタと、
電気配線の一端と電気的に接続されると共に前記第１コネクタに挿抜される第２コネクタと、を有し、
基板間を電気的に接続するハーネスとして、少なくとも前記電気配線と前記第２コネクタとが構成され、
前記第２コネクタが前記第１コネクタに正常に挿入されたか否かを判別可能な嵌合基準部を有する、
ことを特徴とする。
また、本発明とは別の発明として、以下の手段を参考的に開示する。
（解決手段１）
遊技を行う遊技機であって、複数の平型導体を絶縁体で被覆した帯状配線と、前記帯状配線が挿抜されるコネクタと、を有し、前記帯状配線と別体に設けられると共に当該帯状配線が前記コネクタに正常に挿入された状態を判別可能な嵌合不具合確認部をさらに有することを特徴とする遊技機。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
遊技を行う遊技機であって、
基板に実装される第１コネクタと、
電気配線の一端と電気的に接続されると共に前記第１コネクタに挿抜される第２コネクタと、を有し、
基板間を電気的に接続するハーネスとして、少なくとも前記電気配線と前記第２コネクタとが構成され、
前記第２コネクタが前記第１コネクタに正常に挿入されたか否かを判別可能な嵌合基準部を有し、
前記第１コネクタが実装される前記基板の基板端が当該嵌合基準部となる、
ことを特徴とする遊技機。
【手続補正２】
【補正対象書類名】明細書
【補正対象項目名】０００７
【補正方法】変更
【補正の内容】
【０００７】
（解決手段１）
遊技を行う遊技機であって、
基板に実装される第１コネクタと、
電気配線の一端と電気的に接続されると共に前記第１コネクタに挿抜される第２コネクタと、を有し、
基板間を電気的に接続するハーネスとして、少なくとも前記電気配線と前記第２コネクタとが構成され、
前記第２コネクタが前記第１コネクタに正常に挿入されたか否かを判別可能な嵌合基準部を有し、
前記第１コネクタが実装される前記基板の基板端が当該嵌合基準部となる、
ことを特徴とする。
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
所定表示結果と該所定表示結果よりも有利な特定表示結果を含む複数の表示結果のうちのいずれかの表示結果を導出する導出制御手段と、
導出された表示結果を構成する識別情報のうち、特定位置に導出された識別情報に基づいて入賞が発生したか否かを判定する入賞判定手段と、
遊技者が表示結果を視認可能な表示領域の視認性を変化させる変化手段とを備え、
前記表示領域は、前記特定位置に対応する有効領域と、該有効領域と異なる無効領域とを含み、
前記変化手段は、前記特定表示結果が導出される場合に、前記所定表示結果が導出される場合よりも広く前記無効領域の視認性を変化させる、スロットマシン。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
平板状の基板本体、及び該基板本体の前面に実装されている複数のＬＥＤ、を有している装飾基板と、
該装飾基板の前側に当接して設けられ前記ＬＥＤからの光を拡散可能な平板状の本体部、及び該本体部を貫通して前記ＬＥＤが挿入されている複数の貫通口、を有している中間部材と、
該中間部材の前側に設けられており複数の前記ＬＥＤからの光により発光装飾される透光性を有した略平板状の装飾部材と、を備え、
前記平板状の基板本体と前記中間部材と前記略平板状の装飾部材は互いに重ねて配置されており、
さらに前記装飾基板は、少なくとも前面は白色塗膜が略全面に形成されると共に、該白色塗膜の上に黄色で形成されて前記ＬＥＤを特定するための情報が表記された情報表記部を備えており、前記複数のＬＥＤの中には前記装飾基板に沿った方向に光を放射可能なサイドビュータイプのＬＥＤを含む
ことを特徴とする遊技機。
【手続補正２】
【補正対象書類名】明細書
【補正対象項目名】０００３
【補正方法】変更
【補正の内容】
【０００３】
この種の遊技機として、前面に複数のＬＥＤが実装されている装飾基板と、装飾基板の前側に設けられＬＥＤからの光を拡散させるレンズ部材と、レンズ部材の前側に設けられ所定の装飾が施されている透光性を有した装飾部材と、を備えたものが提案されている（例えば、特許文献１）。この特許文献１の技術によれば、レンズ部材によりＬＥＤからの光を拡散させることで、一つのＬＥＤで装飾部材の広い範囲を発光させることが可能となり、装飾部材を発光装飾させるための構成を薄くすることができる。
【手続補正３】
【補正対象書類名】明細書
【補正対象項目名】０００４
【補正方法】変更
【補正の内容】
【０００４】
しかしながら、特許文献１の技術では、装飾基板、レンズ部材（中間部材）、及び装飾基板を、互いに接するようにしていることから、ＬＥＤからの熱を逃がすことができないため、ＬＥＤからの熱が蓄積され易く、蓄積された熱によりＬＥＤの発光が不安定になったり破損したりして、遊技者に対して発光演出を楽しませられなくなることで、遊技者の興趣を低下させてしまう問題があった。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
【特許文献１】特開２０１２−１７０５４２号公報
【手続補正６】
【補正対象書類名】明細書
【補正対象項目名】０００７
【補正方法】変更
【補正の内容】
【０００７】
そこで、本発明は、上記の実情に鑑み、熱による影響を低減させて良好な状態で装飾部材を発光装飾させることにより遊技者を楽しませて興趣の低下を抑制させることが可能な遊技機の提供を課題とするものである。
【手続補正７】
【補正対象書類名】明細書
【補正対象項目名】０００８
【補正方法】変更
【補正の内容】
【０００８】
手段：遊技機において、
「平板状の基板本体、及び該基板本体の前面に実装されている複数のＬＥＤ、を有している装飾基板と、
該装飾基板の前側に当接して設けられ前記ＬＥＤからの光を拡散可能な平板状の本体部、及び該本体部を貫通して前記ＬＥＤが挿入されている複数の貫通口、を有している中間部材と、
該中間部材の前側に設けられており複数の前記ＬＥＤからの光により発光装飾される透光性を有した略平板状の装飾部材と、を備え、
前記平板状の基板本体と前記中間部材と前記略平板状の装飾部材は互いに重ねて配置されており、
さらに前記装飾基板は、少なくとも前面は白色塗膜が略全面に形成されると共に、該白色塗膜の上に黄色で形成されて前記ＬＥＤを特定するための情報が表記された情報表記部を備えており、前記複数のＬＥＤの中には前記装飾基板に沿った方向に光を放射可能なサイドビュータイプのＬＥＤを含む」ものであることを特徴とする。
また、本発明とは異なる別の発明として以下の発明を開示する。
手段１：遊技機において、
「平板状の基板本体、及び該基板本体の前面に沿った方向へ光を照射するよう該基板本体の前面に実装されている複数のＬＥＤ、を有している装飾基板と、
該装飾基板の前側に設けられている透明平板状の本体部、該本体部の後面に設けられており前記装飾基板の前記ＬＥＤが収容されている複数のＬＥＤ収容部、該ＬＥＤ収容部の内面における前記ＬＥＤからの光が照射される部位と連続するように前記本体部から後方
へ突出しており前記本体部と前記基板本体との間に隙間を形成する脚部、及び前記本体部の後面に設けられており前記ＬＥＤから前記本体部内へ入射された光を前方へ反射させて前方へ放射させる複数の反射部、を有している放射板と、
該放射板の前側に設けられており所定の装飾が施されている透光性を有した平板状の装飾部材と
を具備している」ものであることを特徴とする。
【手続補正８】
【補正対象書類名】明細書
【補正対象項目名】０１１９
【補正方法】変更
【補正の内容】
【０１１９】
このように、本発明によれば、熱による影響を低減させて良好な状態で装飾部材を発光装飾させることにより遊技者を楽しませて興趣の低下を抑制させることが可能な遊技機を提供することができる。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
電力を駆動源とする負荷（１３）と、負荷（１３）への電力の供給を制御する電源スイ
ッチ（２６）とを備えており、
負荷（１３）が駆動する運転モードにおいて、電源スイッチ（２６）がオフ操作される
と、負荷（１３）が停止する待機モードに移行し、
オフ操作に続いて、電源スイッチ（２６）を所定の方法で操作するロック操作が行われ
ると、電源スイッチ（２６）のオン操作が無効となるロックモードに移行することを特徴
とする小型電気機器。
【請求項２】
ロック操作が可能であるロック可能期間が、運転モードから待機モードに移行した直後
の所定の受付時間（Ｔ２）に限定されている請求項１に記載の小型電気機器。
【請求項３】
ロック可能期間内であることを報知する期間報知手段（Ｍ１）を備える請求項２に記載
の小型電気機器。
【請求項４】
ロックモードに移行させるためのロック操作が、所定の長押し時間（Ｔ１）にわたる電
源スイッチ（２６）の押圧操作である請求項１から３のいずれかひとつに記載の小型電気
機器。
【手続補正書】
【提出日】令和2年11月30日(2020.11.30)
【手続補正１】
【補正対象書類名】明細書
【補正対象項目名】００２４
【補正方法】変更
【補正の内容】
【００２４】
本実施例では、図２に示す制御手段８を、裁断機全体の動作を制御するコントローラーの一部として設け、ドリル５、フットプレッサー６および排出ピン７を制御して待機状態および排出状態を含む各状態を切替える。フットプレッサー６は、挿通口６ａの上方に、抜き屑４ａを収容可能な収容空間６ｃを有する。収容空間６ｃは、図１（ａ）の穿孔状態では、ドリル５の周囲となるように設けられる。図１（ｂ）に示す排出状態では、ドリル５が待機状態で、フットプレッサー６も待機位置まで上昇する待機状態となる。待機位置でフットプレッサー６は、底面６ｂが生地２の表面から離れ、少なくともドリル５の下端が収容空間６ｃに侵入するまで上昇する。排出ピン７は、ドリル５の下端が収容空間６ｃに侵入している状態で、ドリル５の中空部５ａから収容空間６ａ内に抜き屑４ａを排出するように下降する。
【手続補正２】
【補正対象書類名】明細書
【補正対象項目名】００４２
【補正方法】変更
【補正の内容】
【００４２】
ステップｓ１０では、フットプレッサー６の底面６ｂが生地２の表面を離れているので、裁断ヘッドの次の位置までの移動を開始させ、以下の手順を移動中に行わせることができて、時間短縮を図ることができる。抜き屑４ａの処理としては、圧縮空気の制御弁を開いて、負圧発生部材２３による吸引を開始する。ステップｓ１１では、排出シリンダー２２を駆動して排出ピン７を下降させ、抜き屑４ａをドリル５の中空部５ａからフットプレッサー６の収容空間６ｃに排出する。次のステップｓ１２では、排出シリンダー２２を駆動して排出ピン７を待機位置まで上昇させる。ステップｓ１３では、排出ピン７による排出動作を複数回行うことが、裁断データに設定されているか否かを判断する。複数回である場合、ステップｓ１１に戻って、ステップｓ１１からｓ１３までの動作を複数回連続して繰り返す。排出ピン７の下降で抜き屑４ａを排出する途中の状態が図１（ｂ）に示す排出状態となり、排出状態の終了後に排出ピン７を最下降位置まで下降させると図５（ｃ）に示す状態となる。ステップｓ１４でモーター２０による回転駆動を停止してドリル５の回転を停止し、圧縮空気の制御弁を閉じて負圧発生部材２３による吸引を停止する。ステップｓ１５で封止部材９を開けば、図４に示す状態となり、ステップｓ１に戻る。ステップｓ１０で裁断ヘッドの移動を開始していれば、ステップｓ２で移動を完結させる。目打ち孔４を穿孔する必要がなくなると、目打ち装置１としての動作を終了し、裁断の必要もなくなると裁断機としての動作も終了する。
【手続補正３】
【補正対象書類名】明細書
【補正対象項目名】００４３
【補正方法】変更
【補正の内容】
【００４３】
以上の制御手順は、一例であり、これに限定されるものではない。たとえば、ステップｓ１０の吸引開始は、ステップｓ８で封止部材９を閉じた直後でもよい。また、抜き屑４ａの排出状態で回転が不要であれば、ステップｓ８でドリル５を上昇させた後で回転を停止させればよい。本実施例の目打ち装置１は、裁断機の一部として設けられているけれども、目打ち孔４の穿孔のみを行う専用機とすることもできる。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
力検出器を備えるロボットの作業の制御プログラムを作成するロボット制御装置であって、
作業の動作フローを作成するための動作フロー作成領域を含む入力画面を表示装置に表示させる表示制御部と、
前記動作フロー作成領域で作成された動作フローを制御プログラムに変換する変換部と、
前記制御プログラムを実行して前記ロボットを制御する制御実行部と、
を備え、
前記表示制御部は、前記入力画面として、複数の制御方向の中で特定の制御方向について目標力と前記力検出器の測定力との差分に対して積分器を適用するか否かの設定を行うための画面と、前記積分器における積分ゲインの調整を行う画面と、を表示するように構成されている、ロボット制御装置。
【請求項２】
請求項１に記載のロボット制御装置であって、
前記表示制御部は、前記複数の制御方向について前記積分器の適用の有無を独立に設定できるように構成されている、ロボット制御装置。
【請求項３】
請求項１又は２に記載のロボット制御装置であって、
前記積分器が適用される場合には、前記目標力から前記測定力を減算して前記差分を求める減算器と、前記差分が入力される前記積分器と、前記差分と前記積分器の出力とを加算する加算器と、前記加算器の出力が入力される力制御器と、を含むように前記制御実行部が構成される、ロボット制御装置。
【請求項４】
請求項１〜３のいずれか一項に記載のロボット制御装置であって、
前記表示制御部は、作成された制御プログラムを実行して前記ロボットを動作させる実行命令を発行し、
前記表示制御部は、前記積分器を適用しない状態で作成された制御プログラムを実行して前記ロボットを動作させた時に、前記測定力と前記目標力との間の定常偏差が予め設定された閾値よりも大きい場合に、前記積分器の適用の設定を開始するためのダイアログボックスを表示する、ロボット制御装置。
【請求項５】
請求項１〜４のいずれか一項に記載のロボット制御装置であって、
前記表示制御部は、前記積分器を適用する前記特定の制御方向については、前記測定力のオーバーシュートを低減するように力制御器のゲインを調整する、ロボット制御装置。
【請求項６】
ロボットシステムであって、
力検出器を備えたロボットと、
前記ロボットの作業の制御プログラムを作成するロボット制御装置と、を備え、
前記ロボット制御装置は、プロセッサーを有し、
前記プロセッサーは、
（ａ）作業の動作フローを作成するための動作フロー作成領域を含む入力画面を表示装置に表示させ、
（ｂ）前記動作フロー作成領域で作成された動作フローを制御プログラムに変換し、
（ｃ）前記制御プログラムを実行して前記ロボットを制御する、
ように構成されており、
前記入力画面は、複数の制御方向の中で特定の制御方向について目標力と前記力検出器の測定力との差分に対して積分器を適用するか否かの設定を行うための第１画面領域と、前記積分器における積分ゲインの調整を行う第２画面領域と、を表示するように構成されている、
ロボットシステム。